(57)【要約】      （修正有）【課題】操作が便利で、安全に使用できる掛け式綴具を提供する。【解決手段】掛け式綴具は、左半分リング部３と右半分リング部４からなるリング部と、前記リング部をノートブックのカバーに固定するように形成される基板２と、を含み、前記左半分リング部３は前記基板２に固定され、前記右半分リング部４の下側に回転部５が設けられ、当該回転部５には回転孔６，７が設けられ、回転軸８と基板２を通じて締め付け関係を形成し、前記回転軸８上には、前記回転部５と、前記右半分リング部を回転させるように設けられかつ係合部を有するロック部９と、が取り付けられ、前記基板２上には前記係合部と対応する箇所に溝部１１が設けられている。【選択図】図３
0003183199.tif 000002
【実用新案登録請求の範囲】
【請求項１】
掛け式綴具であって、
左半分リング部と右半分リング部からなるリング部と、前記リング部をノートブックのカバーに固定するように形成される基板と、を含み、
前記左半分リング部は前記基板に固定され、
前記右半分リング部の下側に回転部が設けられ、当該回転部には回転孔が設けられ、回転軸と基板を通じて締め付け関係を形成し、
前記回転軸上には、前記回転部と、前記右半分リング部を回転させるように設けられかつ係合部を有するロック部と、が取り付けられ、
前記基板上には前記係合部と対応する箇所に溝部が設けられている、
ことを特徴とする掛け式綴具。
【請求項２】
前記ロック部には回転孔が設けられ、
前記回転部の回転孔と、前記ロック部の回転孔は何れもその断面形状が3/4円の形状であり、
前記回転軸と前記回転部の回転孔との取付部位の断面形状が3/4円の形状であり、
前記回転軸と前記ロック部の回転孔との取付部位の断面形状が半円の形状である、
ことを特徴とする請求項１に記載の掛け式綴具。
【考案の詳細な説明】
【技術分野】
【０００１】
本考案は、ノートブックに紙を挟んだりノートブックから紙を外したりする際に使われる綴具に関する。
【背景技術】
【０００２】
綴具付きノートブックは、綴具を利用してその中の紙を便利に外したり、交換したり、調整したりすることができるノートブックであり、整理、整頓の利便性を有する。綴具付きノートブックにおいて、紙を外したり取り付けたりする機能を有する綴具は、リング部における左半分リング部と右半分リング部の開閉により紙の取外しと取り付け機能を有し、リング部は基板を通じてノートブックのカバーに固定されている。
【０００３】
従来型の綴具は、左半分リング部と右半分リング部が一定角度回転可能な締付け関係を有し、更に、その底部のステンレス板自体の弾性性により、左半分リング部と右半分リング部の開き状態又は締め状態を維持するようになっている。このような綴具を開閉するには大きな力が必要であり、綴具の動作も固くなり、使用者による操作が不便であり、指が挟まれるなどの危険性がある。
【考案の概要】
【考案が解決しようとする課題】
【０００４】
本考案の目的は、操作が便利で、安全に使用できる掛け式綴具を提供することにある。
【課題を解決するための手段】
【０００５】
上記目的を達成するために、本考案の綴具は、左半分リング部と右半分リング部から形成されるリング部と、前記リング部をノートブックのカバーに固定するように形成される基板と、を含み、前記左半分リング部は前記基板に固定され、前記右半分リング部の下側に回転部が設けられ、当該回転部には回転孔が設けられ、回転軸と基板を通じて締め付け関係を形成し、前記回転軸上には、前記回転部と、前記右半分リング部を回転させるように設けられかつ係合部を有するロック部と、が取り付けられ、前記基板上には前記係合部と対応する箇所に溝部が設けられている。
【０００６】
本考案の綴具の使用方法は、下記の通りである。即ち、ロック部を回転させることにより、右半分リング部を回転させることで、リング部の開閉動作行い、紙を取外したり取り付けたりすることが可能になり、また、ロック部の係合部を基板上の溝部に取り付けることにより、リング部の閉めた状態を維持することで勝手に開かれることを防ぐ。
【０００７】
本考案によれば、ロック部を操作するため、リング部の開閉動作を簡単に実現することができ、大きな力が必要なくなり、かつ、リング部を直接扱う必要がないため、操作が便利でかつ安全性も高い。
【０００８】
更に、綴具の実際応用でノートブックの平面状態の影響を受けていることを考慮して、通常、右半分リング部の回転角度は９０度以下になっており、ロック部と右半分リング部が時間差の無い連動を行う場合、リング部が開いた状態でロック部が左半分リング部と右半分リング部の間に位置すると、紙の入れ替えに邪魔になる。
【０００９】
この問題を解消するために、前記回転部の回転孔と、前記ロック部の回転孔は何れもその断面形状が3/4円の形状に設けられており、前記回転軸と前記回転部の回転孔との取付部位の断面形状が3/4円の形状であり、前記回転軸と前記ロック部の回転孔との取付部位の断面形状が半円の形状である。
【００１０】
前記のように回転孔及び回転軸の断面形状を設けることにより、先ずロック部を９０度回転させた後に前記右半分リング部と共に回転するようになり、これにより、右半分リング部の回転角度が９０度以下であっても、ロック部が左半分リング部と右半分リング部の間に位置することがなく、紙の入れ替えを邪魔することがない。また、ロック部と右半分リング部が時間差を有する連動を行うため、ロック部が右半分リング部より先立って一定角度を自由回転することができ、複数のロック部を設ける場合、複数のロック部がそれぞれ前後独立的に開かれ、強制的に一気に開く必要がなくなり、使用者の実際操作が便利になる。
【考案の効果】
【００１１】
本考案の綴具は、設計が新規で、構造が合理的で、掛け式連動方式を採択し、操作が便利で、安全に使用できる。
【図面の簡単な説明】
【００１２】
【図１】図１は、本考案の綴具の閉めた状態を示す。
【図２】図２は、本考案の綴具の開いた状態を示す。
【図３】図３は、本考案の綴具の分解した状態を示す。
【符号の説明】
【００１３】
１：リング部
２：基板
３：左半分リング部
４：右半分リング部
５：回転部
６，７：回転孔
８：回転軸
９：ロック部
１０：係合部
１１：溝部
【考案を実施するための形態】
【００１４】
以下、図面を参照しながら本考案について更に詳細に説明する。
図１、２、３を参照する。本考案の掛け式綴具は、左半分リング部３と右半分リング部４からなるリング部１と、前記リング部１をノートブックのカバーに固定するように形成される基板２と、を含み、左半分リング部３は基板２に固定され、右半分リング部４の下側に回転部５が設けられ、当該回転部５には回転孔６が設けられ、回転軸８と基板２を通じて締め付け関係を形成し、前記回転軸８上には、前記回転部５と、前記右半分リング部４を回転させるように設けられかつ係合部１０を有するロック部９と、が取り付けられ、前記基板２上には前記係合部１０と対応する箇所に溝部１１が設けられている。前記ロック部９には回転孔７が設けられ、前記回転部５の回転孔６と、前記ロック部９の回転孔７は何れもその断面形状が3/4円の形状であり、前記回転軸８と前記回転部５の回転孔６との取付部位の断面形状が3/4円の形状であり、前記回転軸８と前記ロック部９の回転孔７との取付部位の断面形状が半円の形状である。
【図１】
0003183199.tif 000003
【図２】
0003183199.tif 000004
【図３】
0003183199.tif 000005